(57)【特許請求の範囲】
【請求項１】
表示させる情報を供給する駆動回路を有する制御装置に対して着脱可能に構成されたディスプレイ装置において、記憶性を有し非通電状態でも表示を続ける画像表示手段と、前記制御装置から前記画像表示手段に表示させる情報および電力の供給を受け前記画像表示手段に前記情報および前記電力を供給するディスプレイ側端子と、該ディスプレイ側端子に直列に接続された抵抗またはコンデンサまたはダイオードによる電気的負荷からなる保護手段を有し、前記保護手段は、ディスプレイ装置が制御装置から取り外された場合に前記画像表示手段の表示画像の変化を防止することを特徴とするディスプレイ装置。
【請求項２】
前記画像表示手段は、強誘電性液晶ディスプレイからなることを特徴とする請求項１に記載のディスプレイ装置。
【請求項３】
前記画像表示手段は、電気泳動ディスプレイからなることを特徴とする請求項１に記載のディスプレイ装置。
【請求項４】
前記画像表示手段は、表示媒体を挟み込んだ２枚の基板に単純マトリックス駆動電極を施したディスプレイからなることを特徴とする請求項１ないし請求項３のいずれか１項に記載のディスプレイ装置。
【請求項５】
前記画像表示手段は、前記制御装置に設けられた駆動手段により前記単純マトリックス駆動電極を介して駆動されることを特徴とする請求項４に記載のディスプレイ装置。
【発明の詳細な説明】
【０００１】
【発明の属する技術分野】
本発明は、表示させる情報を供給する制御装置に対して着脱可能に構成されたディスプレイ装置に関するものである。
【０００２】
【従来の技術】
情報を表示するディスプレイ装置として、ＣＲＴや液晶パネルなどが一般的に利用されている。このようなディスプレイ装置では、情報を表示させている間、表示させる情報とともに電力を供給していなければならない。近年の液晶パネルでは、消費電力が非常に低減している。しかし、低消費電力であるとはいっても、電源を切断すると表示されていた情報は消えてしまう。
【０００３】
また、別のディスプレイ装置として、記憶性を有するディスプレイが開発されている。記憶性を有するディスプレイ装置としては、例えば強誘電性液晶ディスプレイや電気泳動ディスプレイ等がよく知られている。これらのディスプレイ装置では、駆動回路等により電気的に画像を書き込んだ後、電源を切断しても表示された情報はそのまま保たれる。この性質を利用して、ディスプレイ装置部分を電源から分離し、電力の供給がない状態で使用することが考えられている。
【０００４】
このような記憶性を有するディスプレイ装置においては、ディスプレイ装置部分を分離した状態で外部からの電気的、電磁気的、磁気的ノイズを受けると、保持された表示画像が変化する恐れがある、という問題がある。例えばＣＲＴ等の記憶性を有しないディスプレイ装置においても、このようなノイズを受けて表示画像が変化する場合も考えられる。しかし、ＣＲＴ等の記憶性を有しないディスプレイ装置では、常に表示する情報と電力の供給を受け、常に情報を書き直している。このように書き直しを行うことにより、ノイズによって瞬間的に表示画像が変化したとしても、次の瞬間には表示画像は回復するので、多少のノイズでは表示画像に影響することはほとんどない。そのため、多少のノイズについては対策を講じることはなかった。
【０００５】
しかし、上述のような記憶性を有するディスプレイ装置では、電源から分離した状態でノイズ等により表示画像が変化してしまうと、表示している情報の供給も、書き換えるための電力の供給も受けていないため、変化した表示をもとに戻すことができない。そのため、ノイズを受けて変化した表示画像がそのまま表示され続けることになってしまう。さらに、ノイズを受ける度に表示画像が劣化してしまうため、記憶性を有しているにもかかわらず、長時間にわたって表示画像を維持できないという問題もあった。
【０００６】
【発明が解決しようとする課題】
本発明は、上述した事情に鑑みてなされたもので、記憶性を有するディスプレイ装置において、電源から分離されている状態においても、外部ノイズの影響を低減し、表示されている画像を維持することができるディスプレイ装置を提供することを目的とするものである。
【０００７】
【課題を解決するための手段】
本発明は、ディスプレイ装置において表示する情報や電力などの供給を受けるディスプレイ側端子に、直列に、例えば抵抗、コンデンサ、ダイオードなどの電気的負荷からなる保護手段を接続している。
【０００８】
このような構成とすることにより、制御装置と切り離され、表示画像を保持しているディスプレイ装置への外部ノイズの低減を図り、保持された表示画像を変質させることのないディスプレイ装置を得ることができる。
【００１０】
【発明の実施の形態】
図１は、本発明のディスプレイ装置を含むディスプレイシステムの一例を示すブロック図である。図中、１は表示制御部、２はフレームメモリ、３は表示信号発生部、４は表示電源供給部、５は駆動回路、６は表示部である。
【００１１】
表示制御部１は、外部あるいは図示しない制御部などから入力される表示情報を受け取り、フレームメモリ２に書き込む。表示を行う際には、フレームメモリ２内の表示情報を読み出して表示信号発生部３に送り、表示のための信号を生成して駆動回路５に出力させる。それとともに、駆動回路５が表示部６を駆動するための電力を表示電源供給部４から供給させる。また、表示部６への書き込みが終了すると、少なくとも駆動回路５への電源の供給を停止させる。
【００１２】
フレームメモリ２は、表示制御部１の制御に従って、送られてくる表示情報を一時的に保持する。また、同じく表示制御部１の制御に従って表示情報を表示信号発生部３に対して出力する。なおフレームメモリ２には、複数画面分の表示情報を保持可能に構成してもよい。また、図１では読み出された表示情報を直接、表示信号発生部３に出力しているが、これに限らず、表示制御部１に対して読み出した表示情報を出力し、表示制御部１により表示信号発生部３に表示情報を転送してもよい。
【００１３】
表示信号発生部３は、フレームメモリ２から読み出された表示情報を受け取り、駆動回路５と同期を取りながら表示のための画信号を生成して駆動回路５に出力する。
【００１４】
表示電源供給部４は、表示部６に表示情報を表示させる際に、表示制御部１からの指示に従って駆動回路５へ表示部６を駆動するための電力を供給する。駆動回路５は、表示部６へ画信号を書き込むときしか動作しないので、表示電源供給部４から駆動回路５へ供給する電力は非常に小さい。そのため、例えば電池や、太陽電池あるいは太陽電池と蓄電池などで構成することも可能である。なお、この装置の電源と共通の電源を用い、駆動回路５のための電圧に調整して供給する構成でもよい。
【００１５】
駆動回路５は、表示電源供給部４から供給される電力を用いて表示部６を駆動し、表示信号発生部３から渡される画信号を表示部６に書き込む。
【００１６】
表示部６は、駆動回路５によって書き込まれた画像を表示する。駆動回路５によって電気的に表示画像を書き換えることによって、その表示を変更することができる。この表示部６は記憶性を有しており、画像が書き込まれた後は、駆動回路５からの電力供給がなくてもそのまま表示を保つことができる。この記憶性を有する表示部６としては、強誘電性液晶ディスプレイ、コレステリック液晶ディスプレイ、電気泳動ディスプレイなどを用いることができる。
【００１７】
図２は、本発明のディスプレイ装置と制御装置との着脱態様の一例の説明図である。図中、１１はディスプレイ装置、１２は制御装置、１３はディスプレイ装置側接続端子、１４は制御装置側接続端子である。図２に示すように、本発明のディスプレイ装置１１は、制御装置１２と着脱自在に構成されている。ディスプレイ装置１１を制御装置１２に装着した状態において、ディスプレイ装置側接続端子１３と制御装置側接続端子１４が電気的に接続され、制御装置１２からディスプレイ装置１１に対して電力の供給および表示情報の転送が可能になる。なお、図２（Ａ）において、ディスプレイ装置側接続端子１３は図示されていないが、制御装置側接続端子１４と対向する部分に設けられている。また図２（Ｂ）においては制御装置側接続端子１４が図示されていないが、ディスプレイ装置１１が挿入される凹部の奥に接続端子が設けられている。
【００１８】
図２（Ａ）に示した構成では、制御装置１２上にディスプレイ装置１１を載置するような形態で両者を接合する。例えば電気的接続を図る部分については、別途、電気的な結合を良好にするための部材を設けてもよい。図２（Ｂ）に示した構成では、制御装置１２の凹部にディスプレイ装置１１の一部を挿入するような形態で両者を接合する。もちろん、これらの他、様々な接合形態により、ディスプレイ装置１１と制御装置１２を接合することができる。
【００１９】
図２に示すディスプレイ装置１１として、例えば図１に示す表示部６単体で構成し、他の部分を制御装置１２として構成することができる。この場合、図１において、表示部６と駆動回路５との間において、着脱可能に構成されることになる。ディスプレイ装置１１を分離すると、制御装置１２内に設けられる表示電源供給部４からの電力および表示信号発生部３からの表示情報は、ディスプレイ装置１１の表示部６には供給されなくなる。しかし表示部６は記憶性を有しているので、ディスプレイ装置１１が取り外された状態でも表示を維持することができる。例えば装着可能なディスプレイ装置を複数用意しておき、適宜交換しながら多数のディスプレイ装置に画像を表示させることもできる。
【００２１】
図３は、表示部６の一例を示す断面図である。図中、２１は上基板、２２は下基板、２３は強誘電体液晶、２４は上基板電極、２５は下基板電極である。ここでは表示部６の一例として、強誘電体液晶２３を用いた単純マトリックス駆動のディスプレイを用いる例を示している。上基板２１には、例えばＩＴＯからなる平行電極である上基板電極２４が形成されている。同様に下基板２２にも、例えばＩＴＯからなる平行電極である下基板電極２５が形成されている。そして上基板電極２４と下基板電極２５が互いに直交するように対向させ、上基板２１および下基板２２の間に強誘電体液晶２３を配置する。上基板電極２４と下基板電極２５によって形成されるマトリックス電極を選択的に駆動することによって、１画素ごとの表示を変更し、画像を表示することができる。なお、上基板２１および下基板２２として柔軟性を有する材料を用いることによって、可撓性を有する表示部６を構成することが可能である。
【００２２】
図３では単純マトリックス駆動の強誘電体液晶ディスプレイを示したが、本発明ではこの構成に限らない。例えばＴＦＴ駆動に代表される単純マトリックス駆動以外の駆動方式であってもよい。また、強誘電体液晶ディスプレイ以外のディスプレイ方式、例えばコレステリック液晶ディスプレイや電気泳動ディスプレイ等であってもよい。以下の説明では、一例として図３に示すような単純マトリックス駆動の強誘電体液晶ディスプレイを用いるものとして説明する。
【００２３】
図４は、表示部のみでディスプレイ装置を構成した場合の制御装置との関係の説明図である。図中、２６はマトリックス電極である。図３に示すような表示部６のみによりディスプレイ装置１１を構成する場合、図１に示す駆動回路５を含む他の回路については、図４に示すように制御装置１２に設けられる。そして、表示を変更する場合には、例えば図２（Ａ）に示すようにディスプレイ装置１１を制御装置１２に装着し、ディスプレイ装置側接続端子と制御装置側端子とを電気的に接続する。これによって、制御装置１２内の駆動回路５によってディスプレイ装置１１のマトリックス電極２６が選択的に駆動され、画像が表示される。なお、表示する情報は、外部から転送されるか、あるいはフレームメモリ２内に蓄積されている情報を用いることができる。また、上述のようにディスプレイ装置１１と制御装置１２の接続形態は図２や図４に限らず任意である。
【００２４】
画像が表示された後は、ディスプレイ装置１１を制御装置１２から分離することができる。強誘電体液晶２３は記憶性を有しており、ディスプレイ装置１１を制御装置１２から電気的に切り離しても表示させた画像は保持される。
【００２５】
上述のように電気的に切り離したディスプレイ装置１１は、電力の供給も表示画像の供給も受けていない。また、マトリックス電極２６は、制御装置１２との接続のためのディスプレイ装置側端子に接続されており、ディスプレイ装置１１が制御装置１２から分離された状態ではディスプレイ装置側端子は外部に解放された状態となっている。そのため、例えば外来ノイズなどがこのディスプレイ装置側端子から侵入する危険性がある。マトリックス電極２６のいずれかにノイズが乗ると、対向する電極間に電位差が発生し、強誘電体液晶２３が記憶している値を書き換えてしまう場合がある。このようにしてノイズによって、表示画像が次第に変化してしまう。表示画像が変化してしまうと、制御装置１２から切り離した状態のディスプレイ装置１１には、電力も表示情報も供給されていないので、そのままではもとの表示画像に戻すことはできない。
【００２６】
図５は、本発明のディスプレイ装置の第１の実施の形態を示す模式図である。図中、３１は入力保護部である。上述のように、ノイズ等によって表示画像が変化してしまうのを防止するため、本発明のディスプレイ装置の第１の実施の形態では、ディスプレイ側端子からマトリックス電極２６に至るディスプレイ装置１１の入力部分に、入力保護部３１を設けている。
【００２７】
入力保護部３１としては、例えばダイオード、もしくは抵抗、もしくはコンデンサなどの電気的負荷を直列に配置する。入力保護部３１にいずれを用いるかは、そのディスプレイ装置１１により異なり、適宜選択すればよい。
【００２８】
このような入力保護部３１を設けることにより、ディスプレイ装置１１に静電気等の電気的ノイズ、電波等の電磁気的ノイズが入ってきても、入力保護部３１がノイズのフィルタとして機能し、マトリックス電極２６へのノイズの進入を防ぐ。これによって、表示部６に保持されている表示画像の乱れを防止することができる。
【００３５】
図６は、本発明のディスプレイ装置の第２の実施の形態を示す模式図である。図中、４１はカバーである。上述のように、ディスプレイ装置１１が制御装置１２から取り外されている状態では、電力および表示情報の供給を受けないため、ノイズ等によって表示が変化してしまうと元に戻すことができない。特にノイズは、外部に導電部が露出しているディスプレイ装置側接続端子１３から混入する場合が多い。そのためこの第２の実施の形態では、ディスプレイ装置側接続端子１３の部分およびその近傍に、例えば導電性のカバー４１を設けた例を示している。
【００３６】
導電性のカバー４１は、ディスプレイ装置１１が制御装置１２から取り外された状態ではディスプレイ装置側端子１３の部分及びその近傍を被覆するように配置される。また、制御装置１２に接続される状態においてはディスプレイ装置側接続端子１３の部分を開口させ、ディスプレイ装置側端子１３と制御装置側接続端子とが電気的に接続されるようにする。
【００３７】
なお、図６ではディスプレイ装置側接続端子１３の部分を開口させた状態を示している。導電性のカバー４１は、例えばスライドさせたり、回動させるなどして、ディスプレイ装置側接続端子１３の部分を覆うように位置させることができる。また、例えばスプリングなどを利用し、制御装置１２側の移動機構と協働してカバー４１を開閉するように構成することもできる。
【００３８】
導電性のカバー４１に用いる導電性材料としては、金属や導電性樹脂など、材料自体が導電性を有するものを用いることができる。あるいは、一般的に用いられている樹脂材料等の絶縁性材料の表面もしくは内面の少なくとも一方に導電性塗料等のコーティングを施すことにより同様の効果を得ることもできる。コーティングの代わりに同様の機能を有するフィルムを貼り付けてもよい。強い電波に対する遮蔽をするには、透磁率と誘電率が大きく、かつ導電性がある材料、例えば銅板等を用いたカバー４１を用いるとよい。なお、磁気的ノイズの防止には、磁気遮蔽材料としてパーマロイ等を用いたカバー４１を用いるとよい。
【００３９】
このように、ディスプレイ装置側端子１３の部分に導電性材料あるいは磁気遮蔽材料で構成されたカバー４１を設けることにより、ディスプレイ装置側端子１３に、直接、静電気等の電気的ノイズや、電波等の電磁気的ノイズ、磁気的ノイズの侵入を防止することができる。また、このようなカバー４１によって、ディスプレイ装置１１が制御装置１２から取り外された状態において、ディスプレイ装置側端子１３に扱い者の手などが触れないようにすることができる。これにより、扱い者の静電気による影響を防止するとともに、ディスプレイ装置側接続端子１３の汚れや腐食などを防止することができる。
【００４０】
この図６に示す実施の形態では、駆動回路５を含まず、表示部６のみによる構成でも、ディスプレイ装置１１として駆動回路５を含む構成でもよい。さらには、表示制御部１などを含む構成であってもよい。また、図６では例えば図２（Ａ）に示すような形態でディスプレイ装置１１と制御装置１２の接続を行う例を示したが、例えば図２（Ｂ）に示すような接続形態においても、同様にディスプレイ装置側端子１３の部分を導電性材料や磁気遮蔽材料のカバー４１で覆うことによって、ノイズ等の侵入を防止することができる。この場合も、ディスプレイ装置１１を制御装置１２に装着する際に、カバーが自動的に開閉するように構成しておくとよい。
【００４１】
図７は、本発明のディスプレイ装置の第３の実施の形態を示す模式図である。図中、４２は導電性材料である。この実施の形態では、図７に示すように、ディスプレイ装置１１の画像表示部表面を含む外装の一部又は全体を導電性材料４２で被覆した例を示している。導電性材料４２による被覆は、同電位となるように電気的接続を取っておく。導電性材料４２としては、金属や導電性樹脂など、材料自体が導電性を有するものを用いることができる。あるいは、一般的に用いられている樹脂材料等の絶縁性材料の表面もしくは内面の少なくとも一方に、導電性塗料等のコーティングを施すことにより同様の効果を得ることもできる。コーティングの代わりに、同様の機能を有するフィルムの貼り付けてもよい。画像表示面への被覆は、透明性が必要であることから、ＩＴＯ等の透明金属膜を用いるとよい。あるいは、各表示画素の間を用いてメッシュ状に導電材料４２を配置することにより、同様の効果を得ることもできる。
【００４２】
強い電波に対する遮蔽をするには、透磁率と誘電率の大きい材料、例えば銅板等で電波の入り易い部分を被覆するとよい。また、磁気的ノイズを防止するには、磁気遮蔽材料としてパーマロイ等を用いて磁気の入り易い部分を被覆すればよい。
【００４３】
このように、同電位の導電性材料４２や磁気遮蔽材料によってディスプレイ装置１１の画像表示部表面を含む外装の一部又は全体を被覆することにより、ディスプレイ装置１１に対する静電気等の電気的ノイズ、電波等の電磁気的ノイズ、磁気的ノイズ等の侵入を防ぎ、表示画像の乱れを防止することができる。
【００４４】
この図７に示す実施の形態においても、駆動回路５を含まず、表示部６のみによる構成でも、ディスプレイ装置１１として駆動回路５を含む構成でもよい。さらには、表示制御部１などを含む構成であってもよい。
【００４５】
さらに、この実施の形態では、ディスプレイ装置１１にマトリックス電極などの駆動電極を有しない構成でも効果がある。図８は、駆動電極を有しない構成のディスプレイ装置と制御装置との関係の一例の説明図である。図中、５１は外部上基板、５２は外部下基板、５３は外部上基板電極、５４は外部下基板電極である。この例では、ディスプレイ装置１１は、２枚の基板の間に例えば強誘電体液晶などを挟み込んで構成されている。しかし、２枚の基板には電極は形成されておらず、電気的な接続部分はない。
【００４６】
一方、制御装置１２側には、平行電極である外部上基板電極５３が形成された外部上基板５１と、同様に平行電極である外部下基板電極５４が形成された外部下基板５２が設けられている。ディスプレイ装置１１に表示画像を書き込む際には、外部上基板電極５３と外部下基板電極５４が互いに直交するように対向させ、その間にディスプレイ装置１１を挟み込む。そして制御装置１２内の駆動回路５によって外部上基板電極５３と外部下基板電極５４によって形成されるマトリックス電極を選択的に駆動することによって、ディスプレイ装置１１の１画素ごとの表示を変更し、画像を表示することができる。
【００４７】
図９は、駆動電極を有しない構成のディスプレイ装置と制御装置との関係の別の例の説明図である。図中、５５はセル電極である。図８に示す例と同様に、この例においてもディスプレイ装置１１にはマトリックス電極等の駆動電極を有していない。この例では、ディスプレイ装置１１の制御装置１２と対向する面とは反対の面は等電位に保たれている。
【００４８】
一方、制御装置１２側には、ディスプレイ装置１１の各画素ごとにセル電極５５が配置されている。ディスプレイ装置１１に表示画像を書き込む際には、制御装置１２のセル電極５５が配置されている上にディスプレイ装置１１を載置する。そして、制御装置１２は各セル電極５５ごとに、電位を正あるいは負に変化させることによって、ディスプレイ装置１１の１画素ごとの表示を変更し、画像を表示することができる。
【００４９】
上述の図８や図９に示したようなディスプレイ装置１１では、制御装置１２と電気的に接続される部分はないが、ディスプレイ装置１１を貫通するノイズによって表示画像が変化してしまうことがある。上述の第３の実施の形態のように、ディスプレイ装置１１の画像表示部表面を含む外装の一部又は全体を導電性材料４２や磁気遮蔽材料で被覆することによって、ノイズの影響を防ぎ、表示画像の乱れを防止することができる。
【００５０】
以上、ディスプレイ装置１１に対するノイズ対策として、第１ないし第３の実施の形態として示した。これらのノイズ対策は、適宜組み合わせて用いることができる。例えばディスプレイ装置側接続端子に入力保護部３１を挿入し、さらにディスプレイ装置側接続端子を開閉可能な導電性カバー４１で覆うとともに、ディスプレイ装置１１全体を導電性材料４２で被覆するように構成することもできる。
【００５１】
図１０は、本発明のディスプレイ装置収納ケースの実施の一形態を示す斜視図である。図中、６１は収納ケースである。上述のように、記憶性を有しているディスプレイ装置１１を制御装置１２から取り外した状態では、ノイズ等により表示画像が変化してしまうことがある。図１０に示す例では、このように制御装置１２から取り外した状態のディスプレイ装置１１を収納、保管、搬送するための収納ケースを示している。
【００５２】
収納ケース６１は、その外装表面又は内層の少なくとも一部、好ましくは全域を同電位導電性層としている。導電性材料としては、金属や導電性樹脂など、材料自体が導電性を有するものを用いることができる。このような導電性材料のみで収納ケース６１を構成するほか、例えば一般的にケース材料として用いられる樹脂材料や布、紙などの絶縁性材料の表面もしくは内面の少なくとも一方に、導電性塗料等のコーティングを施すことにより同様の効果を得ることもできる。また、コーディングの代わりに、同様の機能を有するフィルムを貼り付けてもよい。強い電波に対する遮蔽を行うには、透磁率と誘電率が大きく、かつ導電性がある材料、例えば銅板等を用いた収納ケースとすればよい。また、磁気的ノイズを防止するには、磁気遮蔽材料としてパーマロイ等を用いた収納ケース６１とすればよい。
【００５３】
ディスプレイ装置１１が収納ケース６１に収納された状態においては、静電気等の電気的ノイズ、電波等の電磁気的ノイズ、あるいは磁気的ノイズが収納ケース６１の直近で生じても、収納ケース６１にて進入を防止できる。そのため、ディスプレイ装置１１に直接、静電気等の電気的ノイズ、電波等の電磁気的ノイズ、あるいは磁気的ノイズが侵入するのを防止し、表示画像の変化を抑えることができる。
【００５４】
収納するディスプレイ装置１１は、表示部６のみで駆動回路５を含まない構成、表示部６とともに駆動回路５を含む構成、さらには表示制御部１まで含む構成など、どのような構成のディスプレイ装置１１であってもよい。また、図８，図９に示したように、駆動電極をも有しない構成のディスプレイ装置１１であってもよい。もちろん、上述のディスプレイ装置の第１ないし第３の実施の形態として示したようなノイズ対策を講じたものであるとさらによい。
【００５５】
収納ケース６１は、図１０に示したような形状に限られるものではない。例えば上部も閉じて上部からのノイズの侵入を防止するようにしてもよい。また、把手を有しない袋状でもよい。さらに、図１０に示すような手提げの形状の他、様々な形状の収納ケース６１を構成することができる。例えばＣＤケースのようにほぼディスプレイ装置１１の外形程度の大きさで収納でき、収納した状態で表示画像が参照できる形態でもよい。あるいは手文庫のようなケースや、スポーツバッグやアタッシュケースなどの形状であってもよい。また、例えば長距離の搬送を考慮し、剛性を有する通函や、郵送などを考慮した封筒形状などとして構成してもよい。もちろん、収納ケース６１に複数のディスプレイ装置１１が収納可能に構成されていてもよい。
【００５６】
【発明の効果】
以上の説明から明らかなように、本発明によれば、記憶性を有したディスプレイ装置が制御装置から取り外された状態において、表示画像を保持しているディスプレイ装置への外部からの電気的、電磁気的、磁気的ノイズの侵入を防ぎ、保持された表示画像の変質を低減したディスプレイ装置を提供することができる。
【００５７】
また、制御装置から取り外された記憶性を有するディスプレイ装置を、本発明のディスプレイ装置収納ケースに収納することによって、表示画像を保持しているディスプレイ装置への外部からの電気的、電磁気的、磁気的ノイズの侵入をディスプレイ装置収納ケースが防ぐ。これによって、収納されているディスプレイ装置の表示画像の変質を低減することができるという効果がある。
【図面の簡単な説明】
【図１】  本発明のディスプレイ装置を含むディスプレイシステムの一例を示すブロック図である。
【図２】  本発明のディスプレイ装置と制御装置との着脱態様の一例の説明図である。
【図３】  表示部の一例を示す断面図である。
【図４】  表示部のみでディスプレイ装置を構成した場合の制御装置との関係の説明図である。
【図５】  本発明のディスプレイ装置の第１の実施の形態を示す模式図である。
【図６】  本発明のディスプレイ装置の第２の実施の形態を示す模式図である。
【図７】  本発明のディスプレイ装置の第３の実施の形態を示す模式図である。
【図８】  駆動電極を有しない構成のディスプレイ装置と制御装置との関係の一例の説明図である。
【図９】  駆動電極を有しない構成のディスプレイ装置と制御装置との関係の別の例の説明図である。
【図１０】  本発明のディスプレイ装置収納ケースの実施の一形態を示す斜視図である。
【符号の説明】
１…表示制御部、２…フレームメモリ、３…表示信号発生部、４…表示電源供給部、５…駆動回路、６…表示部、１１…ディスプレイ装置、１２…制御装置、１３…ディスプレイ装置側接続端子、１４…制御装置側接続端子、２１…上基板、２２…下基板、２３…強誘電体液晶、２４…上基板電極、２５…下基板電極、２６…マトリックス電極、３１…入力保護部、４１…カバー、４２…導電性材料、５１…外部上基板、５２…外部下基板、５３…外部上基板電極、５４…外部下基板電極、５５…セル電極、６１…収納ケース。
【図１】
0004269118.tif 000002
【図２】
0004269118.tif 000003
【図３】
0004269118.tif 000004
【図４】
0004269118.tif 000005
【図５】
0004269118.tif 000006
【図６】
0004269118.tif 000007
【図７】
0004269118.tif 000008
【図８】
0004269118.tif 000009
【図９】
0004269118.tif 000010
【図１０】
0004269118.tif 000011